(57)【要約】      （修正有）【課題】再利用可能で、きれいに洗浄ができる環境保護用ストロー構造を提供する。【解決手段】環境保護用ストロー構造は、両側に第１の側縁１１０および第２の側縁１１１がそれぞれ形成された上面１１と、両側に第３の側縁１２０および第４の側縁１２１がそれぞれ形成された下面１２とを有するシート状の可撓性部材１０を巻くことにより、内部に対応する中空部が形成されたチューブ本体と、上面の第１の側縁１１０に対応して形成された少なくとも１つの結合部１４と、下面の第４の側縁１２１に対応して形成された少なくとも１つの組立部１５とを含み、組立部は結合部と係合して流体を通すための中空部を形成する。【選択図】図１
0003220336.tif 000002
【実用新案登録請求の範囲】
【請求項１】
両側に第１の側縁および第２の側縁がそれぞれ形成された上面と、両側に第３の側縁および第４の側縁がそれぞれ形成された下面とを有するシート状の可撓性部材を巻くことにより、内部に対応して形成された中空部を有するチューブ本体と、
前記上面の前記第１の側縁に対応して形成された少なくとも１つの結合部と、
前記下面の前記第４の側縁に対応して形成された少なくとも１つの組立部と、
を含み、
前記組立部を前記結合部と係合することにより、流体を通すための前記中空部が形成される、
ことを特徴とする改良された環境保護用ストロー構造。
【請求項２】
前記結合部はリブであることを特徴とする請求項１に記載の改良された環境保護用ストロー構造。
【請求項３】
前記リブは、前記上面の前記第１の側縁に連続的または不連続的に形成されていることを特徴とする請求項２に記載の改良された環境保護用ストロー構造。
【請求項４】
前記組立部は溝であることを特徴とする請求項１に記載の改良された環境保護用ストロー構造。
【請求項５】
前記溝は、前記下面の前記第４の側縁に連続的または不連続的に形成されていることを特徴とする請求項４に記載の改良された環境保護用ストロー構造。
【請求項６】
前記シート状の可撓性部材は、プラスチック材、アルミニウム箔材、または高分子材料のうちのいずれか１つで作製されることを特徴とする請求項１に記載の改良された環境保護用ストロー構造。
【請求項７】
前記上面には、前記第１の側縁に対応する第１の接着層がさらに形成され、
前記下面には、前記第４の側縁に対応する第２の接着層がさらに形成され、
前記第２の接着層が前記第１の接着層に対応して貼り付けられることを特徴とする請求項１に記載の改良された環境保護用ストロー構造。
【考案の詳細な説明】
【技術分野】
【０００１】
本考案は、改良された環境保護用ストロー構造に関し、特に、再利用可能な環境保護の効果を持つとともに、綺麗に洗浄することができる改良された環境保護用ストロー構造に関するものである。
【背景技術】
【０００２】
茶文化の普及に伴い、消費者は通常、外で食事する際にお茶を一杯買うようになり、その中で、柔らかくモチモチした食感の粒状のタピオカをお茶に加えて作られたボバ（またはパール）ティーは、消費者に好まれている。また、粒状のタピオカを加えた緑茶、ジャスミン茶、ジュースなどの飲み物もあって、これらの飲み物を注文する際には、消費者が飲み物に使用するためのプラスチックストローが店舗側より提供される。ところが、飲み物が酸性であると、プラスチックストローが毒性を溶出しやすく、人間の健康に害を及ぼすことになる。しかも、割り箸もプラスチックストローも、いずれも使用後に廃棄する使い捨て製品であり、これらの使い捨ての割り箸およびプラスチックストローは、多くのごみを生成し、環境問題を引き起こしてしまう。
【０００３】
消費者の個人的健康および環境に対する意識の向上により、多くの消費者は外で食事する際に、再利用可能な環境にやさしい食器を携帯するようになってきたが、環境にやさしいあらゆる種類の食器を持ち運ぶことは、携帯、使用および保管上、非常に不便である。その結果、消費者は今までしばしば、健康や環境保護と使いやすさとのトレードオフに悩まされてきた。また、環境にやさしい食器は、使用や収納の利便性が不十分で使い続けることができないため、プラスチックストローの使用量を効果的に削減することは実質上なお困難である。
【考案の概要】
【考案が解決しようとする課題】
【０００４】
そこで、上記問題を効果的に解決するために、本考案は、主な目的として、改良された再利用可能な環境保護用ストロー構造を提供する。
【０００５】
本考案は、他の目的として、環境保護の効果を有する改良された環境保護用ストロー構造を提供する。
【０００６】
本考案は、さらに別の目的として、汚れた残留物のないように綺麗に洗浄することが可能である改良された環境保護用ストロー構造を提供する。
【課題を解決するための手段】
【０００７】
上記目的を達成するために、本考案は、両側に第１の側縁および第２の側縁がそれぞれ形成された上面と、両側に第３の側縁および第４の側縁がそれぞれ形成された下面とを有するシート状の可撓性部材を巻くことにより、内部に対応する中空部が形成されたチューブ本体と、前記上面の第１の側縁に対応して形成された少なくとも１つの結合部と、前記下面の第４の側縁に対応して形成された少なくとも１つの組立部とを含み、前記組立部は前記結合部と係合して流体を通すための前記中空部を形成することを特徴とする改良された環境保護用ストロー構造を提供する。
【考案の効果】
【０００８】
本考案の構造設計によれば、前記上面の第１の側縁に形成された結合部と、前記下面の第４の側縁に形成された組立部とを互いに組み合わせて係合することにより、本来シート状の可撓性部材を巻いて前記チューブ本体を形成することができる。このようにして、消費者は、前記チューブ本体を用いることにより、前記流体（該流体とは、飲み物、タピオカ粒、パール、ココナッツなどを指す）を吸い込むことができる。
【０００９】
なお、使用したチューブ本体を洗浄することが必要となる場合には、単に前記結合部と前記組立部とを、該チューブ本体を前記シート状の可撓性部材に戻すように取り外した後、さらに前記可撓性部材を水で直接洗浄するだけで、前記チューブ本体を綺麗に洗浄することができ、前記チューブ本体に汚れが残ることを防ぐ効果を奏することができる。
【図面の簡単な説明】
【００１０】
【図１】図１は、本考案に係る第１の実施例の改良された環境保護用ストロー構造を示す分解図である。
【図２】図２は、本考案に係る第１の実施例の改良された環境保護用ストロー構造を示す斜視図である。
【図３】図３は、本考案に係る第１の実施例の改良された環境保護用ストロー構造を示す組合せ図である。
【図４】図４は、本考案に係る第２の実施例の改良された環境保護用ストロー構造を示す分解図である。
【図５】図５は、本考案に係る第３の実施例の改良された環境保護用ストロー構造を示す斜視図である。
【図６】図６は、本考案に係る第１の実施例の改良された環境保護用ストロー構造を示す模式図である。
【図７】図７は、本考案に係る第４の実施例の改良された環境保護用ストロー構造を示す分解図である。
【考案を実施するための形態】
【００１１】
以下、本考案の上記目的、ならびにその構造的および機能的特徴について、添付図面に例示の好ましい実施例に基づいて説明する。
【００１２】
（第１の実施例）
図１、図２、図３はそれぞれ、第１の実施例の改良された環境保護用ストロー構造を示す分解図、斜視図および組合せ図である。各図に示すように、改良された環境保護用ストロー構造は、チューブ本体１と、少なくとも１つの結合部１４と、少なくとも１つの組立部１５とを含む。チューブ本体１は、シート状の可撓性部材１０を巻くことにより形成される。可撓性部材１０は、上面１１および下面１２を有しており、上面１１の両側に第１の側縁１１０および第２の側縁１１１がそれぞれ形成されており、下面１２の両側に第３の側縁１２０および第４の側縁１２１がそれぞれ形成されている。また、第１の側縁１１０が第３の側縁１２０に対応し、第２の側縁１１１が第４の側縁１２１に対応し、チューブ本体１の内部に中空部１３が対応して形成される。
【００１３】
結合部１４は、上面１１の第１の側縁１１０に対応して形成されており、組立部１５は、下面１２の第４の側縁１２１に対応して形成されている。本実施例では、結合部１４はリブで示され、組立部１５は溝によって示されるが、リブと溝は、連続的に形成されていてもよいし、不連続的に形成されていてもよい。リブと溝は、上面１１の第１の側縁１１０および下面１２の第４の側縁１２１にそれぞれ形成されており、流体（本明細書では、流体とは、飲み物、タピオカ粒、パール、ココナッツなどを指す）が通過するために、リブを溝に対応させ互いに係合して中空部１３を形成する。なお、組立部１５は、チューブ本体１の最先端から距離を置いて結合部１４と互いに係合して組み合わせてもよい。この場合、組立られたチューブ本体１は、その両端の断面が斜面となる。さらに、チューブ本体１は、その両端をそれぞれ先細い形状に形成されている。
【００１４】
なお、シート状の可撓性部材１０は、プラスチック材、アルミニウム箔材、または高分子材料等のいずれか１つで作製されていてもよい。すなわち、可撓性のある材料であれば、本考案のチューブ本体１を形成することができる。また、これらの材料は再利用性が高く低コストであることが好ましい。
【００１５】
（第２の実施例）
図４は、本考案に係る第２の実施例の改良された環境保護用ストロー構造を示す分解図である。図４から分かるように、本実施例と前記第１の実施例との最大の違いは、上面１１に複数本の結合部１４が形成される点である。
【００１６】
これにより、使用者は、チューブ本体１に所望される孔径の大きさに応じて、組立部１５を、複数本の結合部１４の構造におけるいずれか一本の結合部１４に対応して係合させ、チューブ本体１を組み立てることができる。
【００１７】
その結果、チューブ本体１の組み立ての利便性を大幅に向上させることができるだけではなく、チューブ本体１の孔径を自由に調整することができ、実用性が大幅に向上する。
【００１８】
（第３の実施例）
図５は、本考案に係る第３の実施例の改良された環境保護用ストロー構造を示す斜視図である。図５から分かるように、本実施例と前記第１の実施例との最大の違いは、組立部１５がチューブ本体１の最先端から結合部１４に係合して組み立てられている点である。このようにすると、チューブ本体１の両端の断面は面一となるが、第１の実施例と同様に、本考案の効果を達成することができる。
【００１９】
（本考案の作用）
図６は、本考案に係る改良された環境保護用ストロー構造を示す模式図である。これまで述べてきたように、本考案の構造設計によれば、上面１１の第１の側縁１１０に形成された結合部１４と、下面１２の第４の側縁１２１に形成された組立部１５とを互いに係合することによって、図６に示すように、チューブ本体１を組み立てることができる。
【００２０】
また、使用者は、使用目的に応じて、結合部１４をチューブ本体１の最先端から組立部１５と係合するように選択することもできるし、或いは、チューブ本体１の先端からある程度距離をおいて結合部１４を組立部１５と係合するように選択することもできる。かかる２つの組み合わせ形態では、いずれも本来シート状の可撓性部材１０を巻いてチューブ本体１を形成させることができる。
【００２１】
このようにして、市販品と同じ機能を持つ普通のストローとすることが可能なチューブ本体１が形成され、使用者は、チューブ本体１を用いて流体（該流体とは、飲み物、タピオカ粒、パール、ココナッツなどを指す）を吸い込むことができる。また、使用したチューブ本体１を洗浄することが必要となる場合は、単に結合部１４と組立部１５とを、該チューブ本体１をシート状の可撓性部材１０に戻すように取り外して、可撓性部材１０を水で直接洗浄するだけで、チューブ本体１を綺麗に洗浄することができ、チューブ本体１に汚れが残ることを防ぐ効果を達成し得る。
【００２２】
（第４の実施例）
最後に、図７は、本考案に係る第４の実施例の改良された環境保護用ストロー構造を示す分解図である。図１と併せて図７を参照すると、改良された環境保護用ストロー構造における部分的構成要素、及びそれらの構成要素同士間の対応関係は、前述の実施例に例示の改良された環境保護用ストロー構造と同じであるので、ここではそれらについての同じことを繰り返し説明しない。
【００２３】
本実施例の改良された環境保護用ストロー構造と前述の実施例に例示の構造との主な違いは、上面１１には第１の側縁１１０に対応する第１の接着層１６がさらに形成されており、下面１２には第４の側縁１２１に対応する第２の接着層１７がさらに形成されており、チューブ本体１の組み立ての際には第２の接着層１７が第１の接着剤層１６に対応して貼り付けられる点である。
【００２４】
すなわち、結合部１４と組立部１５とを互いに組み合わせると、第１の接着層１６と第２の接着層１７との貼り合わせにより、組み立てがより強固になるため、シート状の可撓性部材１０を自己解放することがしにくくなり、チューブ本体１の耐久性を大幅に増大させることができる。
【００２５】
（本考案の利点）
以上に説明したように、本考案は、従来技術と比べて、以下の利点を有する。
・再利用可能である。
・環境保護の効果を有する。
・汚れた残留物のないように綺麗に洗浄することが可能である。
【００２６】
以上、本考案を詳細に説明したが、上記の例示は本考案に係る好ましい実施例に過ぎず、本考案の実施範囲を限定するものではなく、本考案の権利範囲に従ったすべての変更や補正などは、本考案の請求範囲に含まれるべきである。
【符号の説明】
【００２７】
１        チューブ本体
１０      可撓性部材
１１      上面
１１０    第１の側縁
１１１    第２の側縁
１２      下面
１２０    第３の側縁
１２１    第４の側縁
１３      中空部
１４      結合部
１５      組立部
１６      第１の接着層
１７      第２の接着層
【図１】
0003220336.tif 000003
【図２】
0003220336.tif 000004
【図３】
0003220336.tif 000005
【図４】
0003220336.tif 000006
【図５】
0003220336.tif 000007
【図６】
0003220336.tif 000008
【図７】
0003220336.tif 000009